(57)【要約】【課題】弁当等の仕出し品の包装を簡便化する。【解決手段】被包装体の底面と相似形であり前記底面下に敷設する受承シート１と、該受承シート１の周縁にその所定領域毎分断して個別に連設され被包装体の対応する側面に宛がわれる複数の側面シート２、2a…と、各側面シート２、2a…の先端に連設され被包装体の上面を覆う上面シート３、3a…とにより、被包装体を被覆し、各上面シート３、3a…に設けた連結手段４、4a…により、上面シート３、3a…を互いに連結して、包装状態を保持させ、運搬をする時には、側面シート２、2a…に設けた持ち手５、5aを把持させる。【選択図】図１
0003132563.tif 000002
【実用新案登録請求の範囲】
【請求項１】
被包装体の底面と相似形であり前記底面下に敷設する受承シートと、該受承シートの周縁にその所定領域毎分断して個別に連設され被包装体の対応する側面に宛がわれる複数の側面シートと、各側面シートの先端に連設され被包装体の上面を覆う上面シートを備えて成り、各上面シートにそれ自身を他の上面シートと相互連結する連結手段を設け、側面シートに持ち手を取付けたことを特徴とする包装体。
【請求項２】
各側面シートを部分的に伸縮性素材により形成して、当該側面シートの全幅にわたり帯状の伸縮部を設けたことを特徴とする請求項１記載の包装体。
【請求項３】
各側面シートの上面シート側に伸縮部を設けて、側面シートの受承シート側で非伸縮性素材により成る領域に持ち手を取付けたことを特徴とする請求項２記載の包装体。
【考案の詳細な説明】
【技術分野】
【０００１】
本考案は、弁当等の仕出し品の運搬時に用いる包装体に関する。
【背景技術】
【０００２】
従来より、数多くの仕出し品、例えば弁当を運搬する際には、複数個積み重ねた弁当をビニール樹脂の風呂敷にて包むか、或いは、通い箱に弁当を複数個収納して、取り扱い便宜を図る様にしていた。
【考案の開示】
【考案が解決しようとする課題】
【０００３】
ところが、風呂敷では、包装が不確実であり運搬途中に緊縛が解けたり、また通い箱では、幾ら合成樹脂にて形成して、軽量化を図ったところで、数多く運搬する際には重量増加を否めず、より簡便に運び易く包装する手段が望まれていた。
【課題を解決するための手段】
【０００４】
本考案は、上記課題に鑑み、被包装体の底面と相似形であり前記底面下に敷設する受承シートと、該受承シートの周縁にその所定領域毎分断して個別に連設され被包装体の対応する側面に宛がわれる複数の側面シートと、各側面シートの先端に連設され被包装体の上面を覆う上面シートで被包装体を被覆し、各上面シートに設けた連結手段により、上面シートを互いに連結して、包装状態を保持させ、運搬をする時には、側面シートに設けた持ち手を把持させる様にして、上記課題を解決する。
【考案の効果】
【０００５】
要するに本考案は、被包装体の底面と相似形であり前記底面下に敷設する受承シートと、該受承シートの周縁にその所定領域毎分断して個別に連設され被包装体の対応する側面に宛がわれる複数の側面シートと、各側面シートの先端に連設され被包装体の上面を覆う上面シートを備えているので、軽量なシート材により、被包装体、例えば、複数個積み重ねた弁当の全体を被覆することが可能であり、重量増加が少なく、従前の通い箱の様な過度の重量増加による負担がない。
又、各上面シートにそれ自身を他の上面シートと相互連結する連結手段を設けたので、包装状態の保持が容易である。
又、持ち手が側面シートに取付けられているので、持ち手を把持させ容易に運搬でき、更には、弁当の荷重が上面シートにかからず、上面シートを引っ張らないことから、従前の風呂敷の様に包装が解けることがない。
【０００６】
各側面シートを部分的に伸縮性素材により形成して、当該側面シートの全幅にわたり帯状の伸縮部を設けたので、伸縮部を引き伸ばして、側面シートを長くすれば、より多くの弁当を積み重ねたものにも対応させることが出来る。
【０００７】
各側面シートの上面シート側に伸縮部を設けて、側面シートの受承シート側で非伸縮性素材により成る領域に持ち手を取付けたので、弁当の荷重が伸縮部にかからず、過度の張力が上面シートにかからないことから、包装が緩まず、むしろ伸縮部がその収縮力にて上面シートを程よく引っ張り、これにより弁当は受承シートに押圧されて安定し、運搬時に包装体内部で揺れ動かなくなり、運搬が容易になる等その実用的効果甚だ大である。
【考案を実施するための最良の形態】
【０００８】
以下、本考案の一実施形態について図面に基づき説明する。
図１は本考案に係る包装体を展開した状態での平面図、図２は被包装体を包む様子を正面側にて表した断面図、図３は同上右側面図である。
【０００９】
図１〜３に示す様に、本考案の実施例１のものは、方形の弁当を複数積み重ねた被包装体Ｗに用いられ、方形の受承シート１と、該受承シート１の各辺に連設した短冊状の側面シート２、2a…と、各側面シート２、2a…の先端に連設した上面シート３、3a…を備えており、各シートはビニール樹脂など軽量で非伸縮性の素材により形成されている。
尚、各シートを断熱性を有する素材で形成しても良い。
【００１０】
４枚の上面シート３、3a…の内、隣接する２枚は、その外面（包装時に被包装体Ｗに接しない側の面）に、連結手段４、4a…として、面ファスナー４、4aが貼付けられ、かかる２枚の上面シート３、3aに対向する他の２枚の上面シート3b、3cの内面には、前記面ファスナー４、4aに対応し連結可能な面ファスナー4b、4cが貼付けられている。
又、側面シート２、2a…の内、対向する２枚の外面に持ち手５、5aとして、手提げ紐を取付けている。
尚、連結手段４、4a…は、上面シート３、3a…を相互連結可能なものであれば良く、例えば、洋服に用いられるボタンやホック、或いは、磁石シートであっても良い。
【００１１】
使用時には、図２に示す様に、先ず被包装体Ｗの底面下に受承シート１を敷設し、側面シート２を引き起して、被包装体Ｗの側面に宛がうと共に、上面シート３を被包装体Ｗの上面に覆い被せ、次に側面シート２に対向する側面シート2bを引き起して、被包装体Ｗの側面に宛がい、上面シート3bを上面シート３に覆い被せると共に、上面シート３の面ファスナー４に上面シート3bの面ファスナー4bを重ねて連結させる。
又、図３に示す様に、側面シート2aを引き起して、被包装体Ｗの側面に宛がうと共に、上面シート3aを上面シート3bに覆い被せ、最後に側面シート2aに対向する側面シート2cを引き起して、被包装体Ｗの側面に宛がい、上面シート3cを上面シート3aに覆い被せると共に、上面シート3aの面ファスナー4aに上面シート3cの面ファスナー4cを重ねて連結させ、被包装体Ｗの全体を包装する。
そして、運搬を行う際には、手提げ紐５、5aを把持する。
【００１２】
次に、実施例２の包装体について説明する。
図４〜６に示す様に、実施例１の構成に加え、各側面シート２、2a…を部分的に伸縮性素材により形成して、当該側面シート２、2a…の全幅にわたり帯状の伸縮部を６、6a…設けても良く、このものでは、図５及び図６に示す様に、伸縮部６、6a…を伸ばして、側面シート２、2a…を長くし、より多くの弁当を積み重ねたものにも対応可能である。
又、図示例のものでは、各側面シート２、2a…の上面シート３、3a…側に伸縮部６、6a…を設けて、側面シート２、2a…の受承シート１側で非伸縮性素材により成る領域に持ち手５、5aを取付けていることから、弁当の荷重が伸縮部６、6a…にかからずより良い。
【００１３】
尚、以上では、底面方形の被包装体Ｗに対応させた包装体について説明をしたが、本考案は、他の形状の被包装体Ｗでも対応でき、底面が例えば三角形、五角形、六角形等の多角形、或いは、円形でも良く、要するに、受承シート１は適用する被包装体Ｗの底面と相似形に形成し、側面シート２、2a…は受承シート１の周縁にその所定領域毎、即ち多角形では各辺毎、円形なら適宜長さの弧（例えば、円周の１／６の長さの弧）毎に分断し、複数を個別に連設し、かかる各側面シート２、2a…の先端に上面シート３、3a…を設ければ良い。
【図面の簡単な説明】
【００１４】
【図１】実施例１の包装体の展開状態の平面図である。
【図２】図１の包装体の使用状態を正面側にて表した断面図である。
【図３】図１の包装体の使用状態を表した右側面図である。
【図４】実施例２の包装体の展開状態の平面図である。
【図５】図４の包装体の使用状態を正面側にて表した断面図である。
【図６】図４の包装体の使用状態を表した右側面図である。
【符号の説明】
【００１５】
１        受承シート
２、2a…  側面シート
３、3a…  上面シート
４、4a…  連結手段
５、5a    持ち手
６、6a…  伸縮部
Ｗ        被包装体
【図１】
0003132563.tif 000003
【図２】
0003132563.tif 000004
【図３】
0003132563.tif 000005
【図４】
0003132563.tif 000006
【図５】
0003132563.tif 000007
【図６】
0003132563.tif 000008